(57)【要約】【課題】拡大表示時において拡大範囲の変更とフォーカス測定領域の設定をより好適に行えるようにする。【解決手段】表示制御装置は、撮像画像における、第１のフォーカス測定領域を含む拡大範囲の拡大画像と第１のフォーカス測定領域に対応するフォーカスガイドを表示部に表示させ、所定の条件を満たさないユーザからの移動指示に応じて、撮像画像において拡大範囲を移動し、該移動指示により位置が変更された拡大範囲の拡大画像と第１のフォーカス測定領域に対応するフォーカスガイドを表示部に表示させ、所定の条件を満たすユーザからの移動指示に応じて、該移動指示により位置が変更された拡大範囲の所定の領域に新たに第２のフォーカス測定領域を設定し、当該拡大範囲の拡大画像と第２のフォーカス測定領域に対応するフォーカスガイドを表示部に表示させる。【選択図】  図４
2019105768.tif 000002
【特許請求の範囲】
【請求項１】
撮像画像のうちの拡大範囲を拡大した拡大画像を生成する拡大手段と、
ユーザからの移動指示に応じて前記拡大範囲を移動する移動手段と、
前記拡大手段で生成された前記拡大画像を表示部に表示させる制御手段と、を備え、
前記制御手段は、
第１のフォーカス測定領域を含む拡大範囲の拡大画像と前記第１のフォーカス測定領域に対応するフォーカスガイドを前記表示部に表示させる第１の表示処理と、
前記移動指示があり、該移動指示が所定の条件を満していない場合に、該移動指示により位置が変更された拡大範囲の拡大画像と前記第１のフォーカス測定領域に対応するフォーカスガイドを前記表示部に表示させる第２の表示処理と、
前記移動指示があり、前記移動指示が前記所定の条件を満たすと、該移動指示により位置が変更された拡大範囲の所定の領域に新たに第２のフォーカス測定領域を設定し、当該拡大範囲の拡大画像と前記第２のフォーカス測定領域に対応するフォーカスガイドを前記表示部に表示させる第３の表示処理と、を実行することを特徴とする表示制御装置。
【請求項２】
前記フォーカスガイドは対応するフォーカス測定領域を示す枠の表示を含むことを特徴とする請求項１に記載の表示制御装置。
【請求項３】
前記制御手段は、前記フォーカスガイドが対応するフォーカス測定領域のフォーカス状況に基づいて前記フォーカスガイドの表示形態を変化させることを特徴とする請求項１または２に記載の表示制御装置。
【請求項４】
前記所定の条件とは、前記第１のフォーカス測定領域の全体が、前記移動指示により位置が変更された拡大範囲の外に出たことである、ことを特徴とする請求項１乃至３のいずれか１項に記載の表示制御装置。
【請求項５】
前記所定の条件とは、前記第１のフォーカス測定領域の所定の割合を超える領域が前記移動指示により位置が変更された拡大範囲の外に出た、ことであることを特徴とする請求項１乃至４のいずれか１項に記載の表示制御装置。
【請求項６】
前記移動指示は拡大範囲を所定量だけ移動する指示であり、
前記所定の条件とは、前記移動指示の回数が所定回数を超えたことであることを特徴とする請求項１乃至４のいずれか１項に記載の表示制御装置。
【請求項７】
前記所定の条件とは、前記移動指示に応じた拡大範囲の移動量が所定量を超えたことであることを特徴とする請求項１乃至４のいずれか１項に記載の表示制御装置。
【請求項８】
前記所定の条件とは、前記第１のフォーカス測定領域が、前記移動指示により位置が変更された拡大範囲の内側における特定の範囲の外に出ることである、ことを特徴とする請求項１乃至４のいずれか１項に記載の表示制御装置。
【請求項９】
前記拡大範囲の前記所定の領域とは、拡大範囲の中央領域であることを特徴とする請求項１乃至８のいずれか１項に記載の表示制御装置。
【請求項１０】
前記拡大範囲の前記所定の領域とは、あらかじめユーザに指定させた領域であることを特徴とする請求項１乃至８のいずれか１項に記載の表示制御装置。
【請求項１１】
前記第１の表示処理は、前記撮像画像の、前記第１のフォーカス測定領域を中心とした拡大範囲の画像を拡大した拡大画像を前記表示部に表示させることを特徴とする請求項１乃至１０のいずれか１項に記載の表示制御装置。
【請求項１２】
前記制御手段は、前記第２のフォーカス測定領域を設定した後にも、前記第１のフォーカス測定領域をサブ枠領域として記憶手段に記憶しておくことを特徴とする請求項１乃至１１のいずれか１項に記載の表示制御装置。
【請求項１３】
前記制御手段は、前記第２のフォーカス測定領域を設定した際に前記第１のフォーカス測定領域の少なくとも一部が拡大範囲の内部にある場合、前記第１のフォーカス測定領域に対応するフォーカスガイドの表示をサブ枠の表示に変更することを特徴とする請求項１２に記載の表示制御装置。
【請求項１４】
前記制御手段は、前記フォーカスガイドの対象を前記第１のフォーカス測定領域と前記第２のフォーカス測定領域とで切り替える切替手段を備え、
前記切替手段による切り替えに応じて、拡大範囲を切り替え後のフォーカス測定領域を中心とした拡大範囲に変更することを特徴とする請求項１乃至１３のいずれか１項に記載の表示制御装置。
【請求項１５】
前記制御手段は、前記フォーカスガイドが対応するフォーカス測定領域の合焦度合いに基づいて前記フォーカスガイドの表示形態を変化させることを特徴とする請求項１乃至１４のいずれか１項に記載の表示制御装置。
【請求項１６】
前記制御手段は、前記フォーカスガイドが対応するフォーカス測定領域に関して取得されたデフォーカス量に基づいて前記フォーカスガイドの表示形態を変化させることを特徴とする請求項１乃至１５のいずれか１項に記載の表示制御装置。
【請求項１７】
撮像画像における、第１のフォーカス測定領域を含む拡大範囲の拡大画像と前記第１のフォーカス測定領域に対応するフォーカスガイドを表示部に表示させる第１の表示工程と、
所定の条件を満たさないユーザからの移動指示に応じて、前記撮像画像において拡大範囲を移動し、該移動指示により位置が変更された拡大範囲の拡大画像と前記第１のフォーカス測定領域に対応するフォーカスガイドを前記表示部に表示させる第２の表示工程と、
前記所定の条件を満たすユーザからの移動指示に応じて、該移動指示により位置が変更された拡大範囲の所定の領域に新たに第２のフォーカス測定領域を設定し、当該拡大範囲の拡大画像と前記第２のフォーカス測定領域に対応するフォーカスガイドを前記表示部に表示させる第３の表示処理と、
を有することを特徴とする表示制御装置の制御方法。
【請求項１８】
コンピュータを、請求項１乃至１４のいずれか１項に記載された表示制御装置の各手段として機能させるためのプログラム。
【請求項１９】
コンピュータを、請求項１乃至１４のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置及びその制御方法に関し、特に、フォーカスに関する情報の表示技術に関する。
【背景技術】
【０００２】
近年のビデオカメラにおいて、４Ｋ撮影や８Ｋ撮影といった高解像度の撮影時に、ビューファインダー（ＶＦ）や備付の小型モニタでのフォーカス合わせが難しいという課題がある。その課題を解決するために、例えば、指定領域のピント・フォーカスに関するガイド表示をする機能がある（特許文献１）。また、指定領域の撮像画像を拡大してフォーカスを合わせをアシストする機能もあり、その機能と連携して動作させるフォーカス合わせの機能も存在する（特許文献２）。
【先行技術文献】
【特許文献】
【０００３】
【特許文献１】特開２０１６−１９７１８０号公報
【特許文献２】特開２００８−２１１６３０号公報
【発明の概要】
【発明が解決しようとする課題】
【０００４】
特許文献１では、画像の拡大が指示されると、測距位置を中心としに画像を拡大し、表示することが記載されている。特許文献２では、拡大画像中のフォーカスエリアを移動すると、常にフォーカスエリアを中心とした拡大画像が表示されるようにその拡大表示の範囲が移動する。しかしながら、特許文献１、特許文献２では、撮像画像における焦点検出エリアを移動するとともに拡大範囲が連動して移動する。そのため、フォーカス状況を確認する場所を特定の被写体に固定したまま拡大範囲を変更して周囲の状況をみることができない。さらに、フォーカス状況を確認する場所を特定の被写体に固定したまま拡大範囲を変更した後に、フォーカス状況を確認する場所を変更したくなることも考えられる。
【０００５】
本発明は上記課題に鑑みてなされたものであり、拡大表示時において拡大範囲の変更とフォーカス測定領域の設定をより好適に行える表示制御装置、表示制御装置の制御方法、プログラム及び記録媒体を提供することを目的とする。
【課題を解決するための手段】
【０００６】
本発明の一態様による表示制御装置は、以下の構成を備える。すなわち、
撮像画像のうちの拡大範囲を拡大した拡大画像を生成する拡大手段と、
ユーザからの移動指示に応じて前記拡大範囲を移動する移動手段と、
前記拡大手段で生成された前記拡大画像を表示部に表示させる制御手段と、を備え、
前記制御手段は、
第１のフォーカス測定領域を含む拡大範囲の拡大画像と前記第１のフォーカス測定領域に対応するフォーカスガイドを前記表示部に表示させる第１の表示処理と、
前記移動指示があり、該移動指示が所定の条件を満していない場合に、該移動指示により位置が変更された拡大範囲の拡大画像と前記第１のフォーカス測定領域に対応するフォーカスガイドを前記表示部に表示させる第２の表示処理と、
前記移動指示があり、前記移動指示が前記所定の条件を満たすと、該移動指示により位置が変更された拡大範囲の所定の領域に新たに第２のフォーカス測定領域を設定し、当該拡大範囲の拡大画像と前記第２のフォーカス測定領域に対応するフォーカスガイドを前記表示部に表示させる第３の表示処理と、を実行する。
【発明の効果】
【０００７】
本発明によれば、拡大表示時において、拡大範囲の変更とフォーカス測定領域の設定をより好適に行える。
【図面の簡単な説明】
【０００８】
【図１】デジタルカメラ１０の構成例を示すブロック図。
【図２】撮像素子１０２の受光面を説明する図。
【図３】画面とフォーカス状況を示すガイド表示の一例を示す図。
【図４】第１実施形態に係る拡大表示して操作した際の画面の一例を示す図。
【図５】第１実施形態に係る拡大表示を解除した後の画面の一例を示す図。
【図６】第１実施形態に係る拡大表示時の処理を示すフローチャート。
【図７】第１実施形態に係る表示ガイド切り替えの処理を示すフローチャート。
【図８】第２実施形態に係る拡大表示して操作した際の画面の一例を示す図。
【図９】第２実施形態に係る拡大表示時の処理のフローチャート。
【発明を実施するための形態】
【０００９】
以下、添付の図面を参照して本発明の実施形態を説明する。
【００１０】
［第１実施形態］
＜ハードウェア構成＞
図１に、第１実施形態の表示制御装置の一例としてのデジタルカメラ１０のハードウェア構成の一例を示す。図１において、筺体１００は、デジタルカメラ１０の構成要素の多くを内包する外装である。各種の操作部（１２４〜１３５）や表示部１０７、外部出力部１２１は筺体１００の表面に露出している。交換レンズ１０１は、複数のレンズ群からなる撮影レンズであり、フォーカスレンズ、ズームレンズ、シフトレンズを内部に備えるほか、絞りを含む。
【００１１】
撮像素子１０２は、光電変換素子を有する画素が複数、二次元状に配列された構成を有する。撮像素子１０２は、交換レンズ１０１により結像された被写体光学像を各画素で光電変換し、さらにＡ／Ｄ変換回路によってアナログ・デジタル変換して、画素単位の画像信号（ＲＡＷ画像データ）を出力する。測距部１０８は、撮像素子１０２からの出力信号に基づいてデフォーカス量や各種信頼性などの情報を算出する。なお、撮像素子１０２と、関連する測距部１０８の詳細については、図２とともに後述する。ＮＤフィルタ１０３はレンズに備えられた絞りとは別に入射光量を調整する。
【００１２】
画像処理部１１８は、撮像素子１０２に起因するレベル差を補正する。例えば、ＯＢ領域（ｏｐｔｉｃａｌ  ｂｌａｃｋ領域）の画素を用いて、有効領域の画素のレベルを補正する。また、画像処理部１１８は、欠陥画素に対する周囲画素を用いた補正、周辺光量落ちに対する補正、色補正、輪郭強調、ノイズ除去、ガンマ補正、ディベイヤー、圧縮などの各処理を行う。画像処理部１１８は、撮像素子１０２から入力されたＲＡＷ画像データに対して上記処理を行うと、その他の制御部へ補正した画像データを出力する。
【００１３】
記録媒体Ｉ／Ｆ部１０４は、記録媒体１０５とデジタルカメラ１０とのインターフェースであり、記録媒体１０５に対して、画像処理部１１８から入力された画像データの記録や記録した画像データの読み出しを制御する。記録媒体１０５は、撮影された映像あるいは画像データを記録するための半導体メモリ等で構成される記録媒体であり、記録媒体Ｉ／Ｆ部１０４による制御に応じて画像データの記録や記録された画像データの読み出しを実行する。本実施形態では、記録媒体１０５として着脱可能記録媒体（例えばメモリーカード）が用いられるものとするが、内蔵の記録媒体でもよい。
【００１４】
ＧＰＵ１１５は、ビデオカメラの各種情報表示やメニュー画面をＶＲＡＭ（不図示）に描画するレンダリングエンジンであり、文字列や図形の描画機能のほか、拡大縮小描画機能や、回転描画機能、レイヤ合成機能を備えている。ＶＲＡＭは透過度を表すアルファチャネルを備えており、ＶＲＡＭに描画された内容を表示Ｉ／Ｆ部１０６によって撮像画像や再生画像上にオンスクリーン表示することができる。
【００１５】
表示Ｉ／Ｆ部１０６は、画像処理部１１８からの画像データ（撮影画像、再生画像）およびＧＰＵ１１５でＶＲＡＭに描画した表示内容に対して、重畳合成およびリサイズ処理を行い、表示部１０７へ出力する（表示する）。拡大表示モードになっているときは、表示Ｉ／Ｆ部１０６は映像データの部分領域に対して重畳合成およびリサイズ処理を行う。拡大表示モードでは、通常時よりも拡大された映像が表示部１０７に表示されるため、撮影者は、マニュアルフォーカス（以下、ＭＦ）での焦点調整操作をより正確に行うことができる。表示部１０７は、表示Ｉ／Ｆ部１０６から出力された画像データを画角確認用に表示する筺体１００の側から視認可能な外部モニタ、ファインダ内の表示部を含む。表示部１０７は、液晶ディスプレイや有機ＥＬディスプレイ（Ｏｒｇａｎｉｃ  Ｌｉｇｈｔ−Ｅｍｉｔｔｉｎｇ  Ｄｉｏｄｅ  Ｄｉｓｐｌａｙ）などで構成され得る。
【００１６】
本体マイコン１１９は、デジタルカメラ１０の全体の動作を制御する制御部であり、マイクロコンピュータなどで構成される。本体マイコン１１９は、ＣＰＵ１１９ａ、ＲＯＭ１１９ｂ、ＲＡＭ１１９ｃを備える。ＣＰＵ１１９ａは、ＲＯＭ１１９ｂに記憶されたプログラムを、ＲＡＭ１１９ｃに展開して実行することにより、後述の各種フローチャートの動作を実行する。
【００１７】
ゲイン制御部１０９、シャッター制御部１１０、ＮＤ制御部１１１および絞り制御部１１２は、いずれも露出制御のためのブロックである。これらは、それぞれ画像処理部１１８の出力した画像データから本体マイコン１１９が算出した輝度レベルに基づいて、あるいは撮影者がマニュアル設定した動作パラメータに基づいて、本体マイコン１１９によって制御される。ゲイン制御部１０９は、撮像素子１０２のゲインを制御する。シャッター制御部１１０は、撮像素子１０２のシャッタースピードを制御する。ＮＤ制御部１１１は、ＮＤフィルタ１０３を介して撮像素子１０２に入射する光量を制御する。絞り制御部１１２は、交換レンズ１０１の絞りを制御する。
【００１８】
フォーカス制御部１１３は、本体マイコン１１９によるデジタルカメラ１０のフォーカス駆動状態がオートフォーカス（以下、ＡＦ）かマニュアルフォーカス（以下、ＭＦ）かによって異なる動作を行う。ＡＦのときは、画像処理部１１８から出力された画像データを参照して本体マイコン１１９がフォーカスの合焦情報を算出し、フォーカス制御部１１３がその合焦情報に基づいて交換レンズ１０１内部のフォーカスレンズを制御する。あるいは、ＡＦにおいては、撮像面位相差検出によって測距部１０８から出力されたデフォーカス量を元にフォーカス制御部１１３が交換レンズ１０１内部のフォーカスレンズを制御する。ＭＦのときは、フォーカス制御部１１３はＡＦ制御を停止する。この場合、撮影者が交換レンズ１０１に組み込まれたフォーカスリング１３４を回転させることによって、任意のフォーカス調整を行うことができる。
【００１９】
なお、本実施形態のＡＦでは、画像データの部分領域にＡＦ枠を設定し、ＡＦ枠内の被写体のみに基づいてフォーカス情報を算出する。また、本実施形態のＡＦは、ワンショットＡＦモードとコンティニュアスＡＦモード（サーボＡＦ）の２つのＡＦ動作モードを備えている。ワンショットＡＦモードでは、ワンショットＡＦキー１２９が押下されたときだけＡＦ制御が行われ、合焦成功または合焦失敗が確定した後はフォーカス制御部１１３の制御が停止する。コンティニュアスＡＦモードでは、常にＡＦ制御が行われる。ただし、コンティニュアスＡＦモードであっても、ＡＦロックキー１３０の押下によってＡＦロック状態になっているときは、フォーカス制御部１１３の制御を停止する。これら２つのＡＦ動作モードの切り替えはメニュー画面内の設定変更によって行われる。
【００２０】
防振制御部１１４は、画像処理部１１８から出力された画像データを参照して本体マイコン１１９により算出された被写体の動きベクトルをもとに手ブレを相殺するように交換レンズ１０１内部のシフトレンズを制御する光学式防振処理を行う。あるいは、防振制御部１１４は手ブレによる像ブレを相殺する方向に動画の各フレームで画像を切り出す電子式防振処理を行ってもよい。
【００２１】
メモリＩ／Ｆ部１１６は、撮像素子１０２から出力された全画素分のＲＡＷ画像データをメモリ１１７に書き込み、また、メモリ１１７に保持されたＲＡＷ画像データを読み出して画像処理部１１８に出力する。メモリ１１７は、数フレームの全画素分のＲＡＷ画像データを格納する揮発性の記憶媒体である。画像処理部１１８は、メモリＩ／Ｆ部１１６から送られた全画素分のＲＡＷ画像データに対し、制御に必要な画像処理を行う。
【００２２】
外部出力Ｉ／Ｆ部１２０は、画像処理部１１８からの映像データにリサイズ処理を行う。また、外部出力部１２１の規格に適した信号変換および制御信号の付与を行い、外部出力部１２１へ出力する。外部出力部１２１は、映像データを外部出力する端子であり、例えばＳＤＩ（Ｓｅｒｉａｌ  Ｄｉｇｉｔａｌ  Ｉｎｔｅｒｆａｃｅ）端子やＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子である。外部出力部１２１には、外部機器であるモニターディスプレイ、外部記録装置などが接続可能である。
【００２３】
外部操作Ｉ／Ｆ部１２２は、外部操作部１２３による制御指示を受信し、本体マイコン１１９へ通知するインターフェースである。例えば、赤外線リモコン受光部や、無線ＬＡＮ（Ｌｏｃａｌ  Ａｒｅａ  Ｎｅｔｗｏｒｋ）インターフェースや、ＬＡＮＣ（登録商標）（Ｌｏｃａｌ  Ａｐｐｌｉｃａｔｉｏｎ  Ｃｏｎｔｒｏｌ  ｂｕｓ  ｓｙｓｔｅｍ）が相当する。外部操作部１２３は、外部操作Ｉ／Ｆ部１２２に対して制御指示（制御コマンド）を送信する。筺体１００や交換レンズ１０１に組み込まれた操作部（１２４〜１３５）の各部の操作に相当する指示（コマンド）を送信することができるほか、表示部１０７で表示するメニュー画面における設定変更情報を送信することができる。
【００２４】
メニューキー１２４〜ＡＦ／ＭＦスイッチ１３５は操作部であり、キー（ボタン）やダイヤル、タクトスイッチ、リング、タッチパネル等の部材により構成される。いずれも撮影者の操作を受けつけ、本体マイコン１１９に対して制御指示を通知する役割を担っている。メニューキー１２４〜ＳＴＡＲＴ／ＳＴＯＰキー１３３は筺体１００に組みつけられている本体側の操作部である。フォーカスリング１３４とＡＦ／ＭＦスイッチ１３５は、交換レンズ１０１に組みつけられているレンズ側の操作部である。これらの操作部の一部は、メニュー画面内の設定によって、キーの役割を交換したり、別の機能にアサインしたりすることも可能である。
【００２５】
メニューキー１２４は、表示部１０７にメニュー画面を表示する指示、あるいはすでに開いているメニュー画面を閉じる指示を行う。十字キー１２５およびダイヤル１２６は、どちらもメニュー画面内で項目を選択するためのカーソルを移動したり、フォーカスに関する枠表示を撮影者の望む方向へ移動したりする指示を行う。十字キー１２５は、上キー、下キー、左キー、右キーよりなる方向キーであり、それぞれ別体の操作部材であってもいいし、同一の操作部材として構成して押下する位置に応じて上下左右の何れか指示が行えるように構成しても良い。ダイヤル１２６は、時計回りの操作と反時計回りの操作が行える回転操作部材である。
【００２６】
ＳＥＴキー１２７は、メニュー画面内でカーソルの当たっている項目を選択したり、各種の設定操作を確定したりする指示を行う。キャンセルキー１２８は、メニュー画面で深い階層の選択を行っているときにひとつ前の階層へ戻ったり、各種の設定操作を破棄したりする指示を行う。ワンショットＡＦキー１２９は、ＡＦモードがワンショットＡＦであるときに、フォーカス制御部１１３によってＡＦを駆動する指示を行う。ＡＦロックキー１３０は、ＡＦモードがコンティニュアスＡＦであるときに、フォーカス制御部１１３による制御を停止させる停止指示、制御停止状態を解除する解除指示を行う。
【００２７】
拡大キー１３１は、表示部１０７に表示される映像を拡大したり元に戻したりする指示を行う。ＤＩＳＰＬＡＹキー１３２は、本体マイコン１１９で保持されるＤｉｓｐレベルを変更する指示を行う。選択されたＤｉｓｐレベルに基づいて、表示部１０７に表示される各種情報表示が制限され、より詳細な情報を表示したり、映像をよりクリアに表示したりすることができる。ＳＴＡＲＴ／ＳＴＯＰキー１３３は、記録媒体Ｉ／Ｆ部１０４による記録の開始と停止の指示を行う。フォーカスリング１３４は、フォーカス駆動状態がＭＦであるときに、交換レンズ１０１内のフォーカスレンズを移動し、フォーカス調整を行うことができる。ＡＦ／ＭＦスイッチ１３５は、フォーカス駆動状態、すなわちＡＦとＭＦを相互に切り替える指示を行う。
【００２８】
＜撮像面位相差検出＞
図２は、画像センサとしての撮像素子１０２の受光面の一部を示している。撮像素子１０２は、撮像面位相差ＡＦを可能にするために、一つのマイクロレンズに対して光電変換手段としての受光部であるフォトダイオードを２つ保持している画素部をアレイ状に並べている。これにより、各画素部で、交換レンズ１０１の射出瞳を分割した光束を受光することが可能になっている。図２（ａ）は、赤（Ｒ）、青（Ｂ）、緑（Ｇｂ、Ｇｒ）のベイヤー配列例のカラーフィルタを有する非撮像面位相差方式の画像センサ表面の一部を示す模式図である。図２（ｂ）は、図２（ａ）のカラーフィルタの配列に対応させて、一つのマイクロレンズに対して光電変換手段としてのフォトダイオードを２つ保持している、撮像面位相差方式の画素部の例である。
【００２９】
図２（ｂ）の構成を有する撮像素子１０２は、各画素部から位相差検出用の２つの信号（以下、Ａ像信号、Ｂ像信号ともいう）を出力できるようになっている。また、撮像素子１０２は、２つのフォトダイオードの信号を加算した撮像の記録用の信号（Ａ像信号＋Ｂ像信号）も出力できるようになっている。加算された信号の場合には、図２（ａ）で概略説明したベイヤー配列例の画像センサの出力と同等の信号が出力される。
【００３０】
このような画像センサとしての撮像素子１０２からの出力信号を使って、測距部１０８が２つの像信号の相関演算を行い、デフォーカス量や各種信頼性などの情報を算出する。すなわち、測距部１０８は、Ａ像信号、Ｂ像信号のズレに基づき、像面でのデフォーカス量を算出する。デフォーカス量は正負の値を持っており、デフォーカス量が正の値であるか負の値であるかによって、前ピンか後ピンかがわかる。また、デフォーカス量の絶対値によって、合焦までの度合いが分かり、デフォーカス量が０であれば合焦状態である。すなわち、測距部１０８は、測距位置（測距領域、焦点検出位置、焦点検出領域）であるフォーカス測定領域について算出したデフォーカス量の正負を元に前ピンか後ピンかの情報をＣＰＵ１１９ａなどに出力する。また、測距部１０８は、デフォーカス量の絶対値に基づいて、合焦の度合い（ピントのズレの度合い）である合焦度合い情報をＣＰＵ１１９ａなどに出力する。測距部１０８は、デフォーカス量が所定値を超える場合に前ピンか後ピンかの情報を出力し、デフォーカス量の絶対値が所定値以内である場合には、合焦であるという情報を出力する。なお、合焦度合い情報は、デフォーカス量を、合焦させるまでにフォーカスリング１３４を回転させる操作量に換算した値として出力される。
【００３１】
なお、本実施形態では、撮像素子１０２は、撮像用の信号と、位相差検出用の２つの信号の計３つの信号を出力するが、このような構成に限定されるものではない。例えば、撮像用の信号と位相差ＡＦ用の像信号の２つの信号のうちの１つの信号の計２つ信号が出力されるようにしてもよい。この場合、位相差検出用の像信号の２つの信号のうちの出力されない方の信号は、撮像素子１０２からの上記２つの出力信号を利用して算出される。
【００３２】
また、図２では、一つのマイクロレンズに対して光電変換手段としてのフォトダイオードを２つ保持している画素部をアレイ状に並べている例を示したが、これに限られるものではない。例えば、一つのマイクロレンズに対して光電変換手段としてのフォトダイオードを３つ以上保持している画素部をアレイ状に並べた構成としてもよい。また、マイクロレンズに対して受光部の開口位置が異なる画素部を複数有するようにしてもよい。つまり、結果としてＡ像信号とＢ像信号といった位相差検出可能な位相差検出用の２つの信号が得られるようになっていれば足りる。
【００３３】
＜アシスト機能と画面例＞
本実施形態におけるデジタルカメラ１０は、フォーカスのアシスト機能として、「フォーカスガイド」機能と「撮像画像拡大表示」機能を備える。「フォーカスガイド」機能とは、ユーザが指定した領域のフォーカス状況を指標で示すモードであり、その指標によってユーザは、合焦状態（焦点検出領域の被写体に合焦している状態）であるか前ピンもしくは後ピンであるかを確認することができる。「撮像画像拡大表示」とは、ユーザが指定した領域の撮像画像を任意の倍率で表示する機能であり、より詳細に撮像画像を確認することが可能となる。「フォーカスガイド」機能と「撮像画像拡大表示」機能の実行時の画面の表示例を図３、図４、図５にて説明する。
【００３４】
図３（ａ）の画面３００は、表示部１０７に表示される画面の一例であり、被写体３０３及び被写体３０４は画像処理部１１８からの画像データの一部である。また画面上には、記録可能時間３０１、記録タイムコード３０２、及びフォーカスガイド３０７（矩形のフォーカスガイド枠３０５と三角指標３０６）がいずれもＯＳＤとして画像データに重畳されている。このＯＳＤは、ＣＰＵ１１９ａの指示に応じてＧＰＵ１１５がＯＳＤ用のＶＲＡＭに描画した内容である。前述の通り、ＯＳＤ用のＶＲＡＭと映像データをＧＰＵ１１５により合成することで、図３（ａ）の画面３００が表示部１０７に表示される。
【００３５】
なお、フォーカス状況に応じてフォーカスガイド３０７として表示されるフォーカス指標が変わる。フォーカス指標は、フォーカス測定領域を示す矩形のフォーカスガイド枠３０５の表示形態と、その上部の複数の三角指標３０６の表示形態を変えることによりフォーカス状況を表現する。図３（ｂ）に、そのようなフォーカス指標の例を示す。フォーカス指標３１０は、合焦状態（焦点検出領域の被写体に合焦している状態）であり、フォーカスガイド枠３０５と、その上部で向き合う２つの三角形からなる三角指標３０６で構成される。フォーカス指標３１１は後ピン状態であることを示す。フォーカス指標３１１はフォーカス指標３１０とは異なり、フォーカスガイド枠３０５の上部の三角指標３０６のうち、上側の三角形が離れていることにより、合焦状態でないことを示し、離れている三角形の角度によって合焦状態からのズレ量を示している。また、合焦状態でないため、フォーカス測定領域を示すフォーカスガイド枠３０５が鍵括弧で示されている。フォーカス指標３１２は前ピンであることを示す。フォーカス指標３１２はフォーカス指標３１１と異なり、フォーカスガイド枠３０５の上部の三角指標３０６のうち下側の三角形が離れている。このように上下どちらの三角形が離れているかにより、前ピン、後ピン状態をユーザは区別することができる。
【００３６】
フォーカス指標３１３は、前ピン後ピンの判定に失敗した（すなわち、測距に失敗した）大ボケの状態であることを示している。フォーカス指標３１４は、サブ枠であることを示す。サブ枠は、前回のフォーカス状況を確認した位置もしくは、次にフォーカス状況を確認したい位置にユーザが配置でき、サブ枠のフォーカス状況は指標として示さないため、常に固定の表示（位置を示すだけ）となる。サブ枠と（メインの）フォーカスガイドの切り替えについては、図５にて説明する。
【００３７】
上記のように、フォーカス指標３１０〜３１４が、フォーカスガイドとして表示されることにより、ユーザは、対象エリアのフォーカス状況を確認することができる。従って、ＭＦ操作をする際などに、ユーザの意図通りのフォーカス調整ができているかを確認する一助となる。なお、フォーカス指標３１０〜３１４はフォーカス状況を視覚的に表した一例であり、フォーカス状況を色や別の表現で表してもよい。例えば、フォーカス指標３１０においては、フォーカスガイド枠３０５を緑色の矩形で示し、他のフォーカス指標ではフォーカスガイド枠３０５を赤色の矩形で示すようにしてもよい。あるいは、フォーカスガイド枠３０５の表示形態の変化でフォーカス状況を表し、三角指標３０６を省略したものでもよい。
【００３８】
図４（ａ）〜（ｃ）は、「撮像画像拡大表示」機能の操作時の表示部１０７に表示される画面の一例である。図４（ａ）において、画面３００上に、拡大表示の対象となる画像の範囲である拡大範囲４０１と拡大範囲４０２が存在する。拡大範囲４０１、４０２とそれらの間の矢印は説明のために可視化したものである。画面３００を表示した状態において、ユーザが「撮像画像拡大表示」機能を実行すると、フォーカスガイド枠３０５を中心とした拡大範囲４０１の領域が拡大され、拡大範囲４０１の範囲の画像が表示部１０７に表示される。この拡大処理は、画像処理部１１８もしくはＧＰＵ１１５によって行われる。また、フォーカスガイド枠３０５（フォーカス測定領域）を中心に拡大される。
【００３９】
「撮像画像拡大表示」機能の実行後、ユーザは拡大範囲の位置（以下、拡大位置）を十字キー１２５によって移動させることが可能である。例えば、拡大範囲４０１を拡大範囲４０２の位置まで右方向に移動した際に、表示部１０７上に表示される画面の例を図４（ｂ）と図４（ｃ）に示す。この操作は、ユーザが被写体３０３のフォーカス合わせを行い、その後、被写体３０４のフォーカス合わせを行う操作を前提としている。この操作により、特定の人物から別の人物へフォーカスが移り変わるような撮影をすることができる。図４（ｂ）、図４（ｃ）において画面３００に表示されている画像は、それぞれの拡大範囲の画像が拡大された拡大画像である。
【００４０】
図４（ｂ）の（ｂ１）〜（ｂ４）は、本件の課題を説明する画面表示例である。図中には、画面３００上に、拡大画像とともに新たに拡大表示位置指標４０３がＯＳＤとして表示されている。この拡大表示位置指標４０３によりユーザは、撮像画像全体のどのエリアがどのくらいの倍率で拡大されているかを確認することができる。図４（ｂ１）は、フォーカスガイド枠３０５を中心とした拡大範囲４０１が拡大表示された画面を示し、被写体３０３の全体が表示されている。この際にフォーカスガイド３０７（フォーカスガイド枠３０５と三角指標３０６）も拡大して表示されている。この状態で、十字キー１２５の右キーを押すと、拡大位置が移動し、より右側の表示エリアが拡大される。図４（ｂ２）は、図４（ｂ１）の状態で、十字キー１２５の右キーを何度か押した際に表示部１０７に表示される画面の例である。この状態では、被写体３０３およびフォーカスガイド枠３０５の８割ほどが見えている。拡大表示の範囲は図４（ｂ１）から変わっているが、フォーカスガイド枠３０５の撮像画像全体における位置は固定されている（被写体３０３の位置に固定されている）。従って、引き続き被写体３０３のフォーカス状況（合焦度合い）を確認することができる。
【００４１】
図４（ｂ３）は、図４（ｂ２）の状態から十字キー１２５の右キーを何度か押した際に表示部１０７に表示される画面の例である。この状態では、被写体３０３およびフォーカスガイド枠３０５は見えずに、被写体３０４の一部が見えている。図４（ｂ４）は、図４（ｂ３）の状態で、十字キー１２５の右キーを何度か押した際に表示部１０７に表示される画面の例である。この状態では、被写体３０４全体が見えている。このように、ユーザが被写体３０４のフォーカス状況を確認するために被写体３０４が中心になるように拡大位置をずらすと、フォーカスガイドが表示されなくなってしまう。そのため、このままでは、ユーザはフォーカスガイドによる詳細なフォーカス状況の確認ができない。被写体３０４のフォーカス状況をフォーカスガイドにて確認するためには、一度「撮像画像拡大表示」を解除した後、フォーカスガイドを移動させる必要がある。
【００４２】
図４（ｃ）の（ｃ１）〜（ｃ４）は、上記の課題を解決する本実施形態による画面の表示例である。このような表示を実現するための処理については、図７のフローチャートにて説明する。図４（ｃ）の画面３００においても、図４（ｂ）と同様に、拡大画像とともに拡大表示位置指標４０３がＯＳＤとして表示されている。図４（ｃ１）は、フォーカスガイド枠３０５を中心とした拡大範囲４０１が拡大表示された画面であり、被写体３０３の全体が表示されている。この際にフォーカスガイド３０７も拡大して表示されている。この状態で、十字キー１２５の右キーを押すと、拡大表示位置が移動し、より右側の表示エリアが拡大される。図４（ｃ２）は、図４（ｃ１）の状態で十字キー１２５の右キーを何度か押した際に表示部１０７に表示される画面の例である。この状態では、被写体３０３およびフォーカスガイド枠３０５の８割ほどが見えている状態である。拡大表示の範囲は図４（ｃ１）から変わっているが、フォーカスガイド枠３０５の撮像画像全体における位置は固定されている（被写体３０３の位置に固定されている）。従って、引き続き被写体３０３のフォーカス状況（合焦度合い）を確認することができる。
【００４３】
図４（ｃ３）は、図４（ｃ２）の状態で、十字キー１２５の右キーを何度か押した際に表示部１０７に表示される画面の例である。この状態では、フォーカスガイド枠３０５が見えなくなったため（フォーカス測定領域が拡大範囲の外へ出たため）、画面中央に新たにフォーカスガイドが表示される。図４（ｃ４）は、図４（ｃ３）の状態で、十字キー１２５の右キーを何度か押した際に表示部１０７に表示される画面の例である。この状態では、被写体３０４の全体が見えており、画面中央にフォーカスガイドが表示されている。図４（ｃ３）のように、フォーカスガイドが画面表示範囲から出て見えなくなった際に、画面中央の位置に固定して新たなフォーカスガイドを表示することで、拡大表示中の領域のフォーカス状況を確認することができる。また、ユーザは、被写体３０４のフォーカス状況を確認したいのであれば、被写体３０４が中心になるように拡大位置をずらすことで、被写体３０４に対するフォーカス状況を確認することができる。以上によれば、わざわざ「撮像画像拡大表示」を解除することなく、被写体３０４のフォーカス状況をフォーカスガイドにより確認することができる。
【００４４】
なお、上記では、フォーカスガイド枠３０５が表示されなくなったことを条件として、画面中央に新たにフォーカスガイド枠を表示するようにしたが、これに限られるものではない。例えば、フォーカスガイド枠３０５の矩形枠（すなわち、フォーカス測定領域）の所定の割合（半分以上、８割以上など）が表示されなくなったことを条件として画面中央に新たなフォーカス測定領域を設定し、フォーカスガイドを表示するようにしてもよい。また、フォーカスガイド枠３０５が画面の内側の所定範囲（画面端周辺で、画面端から所定距離の範囲）の外側に出た、あるいは差し掛かったことを条件として、画面中央に新たなフォーカス測定領域を設定し、フォーカスガイドを表示するようにしてもよい。新たなフォーカス測定領域を設定した場合、それまで表示されていたフォーカスガイドの位置には、サブ枠が表示されるようにしてもよい。また、それまで表示されていたフォーカスガイドの位置（測定領域の位置）をＲＡＭ１１９ｃなどの記憶部に記憶するようにしてもよい。また、拡大範囲の移動操作は左右方向に限られるものではなく、上下方向であってもよい。
【００４５】
図５は、「フォーカスガイド」機能が持つサブ枠表示を有効にした際の表示部１０７上に表示される画面表示の例である。前述のように、サブ枠は、前回のフォーカス状況を確認した位置もしくは、次にフォーカス状況を確認したい位置にユーザが配置できる機能である。サブ枠表示は、メニューにて、オン／オフを切り替えることができ、初期値は画面中央である。フォーカスガイド枠とサブ枠が表示されている状態で、ＳＥＴキー１２７を押すとサブ枠の位置にフォーカスガイド枠が表示されて、もともとフォーカスガイド枠が表示されていた位置にサブ枠が表示される。すなわち、ＳＥＴキー１２７は、サブ枠の位置とフォーカスガイド枠の位置を入れ替える。このように、ＳＥＴキー１２７は、サブ枠の位置とフォーカスガイド枠の位置を切り替えるための切替部として機能する。例えば、図５（ａ）の状態でＳＥＴキー１２７を押すと、図５（ｂ）のようになり、サブ枠３０８とフォーカスガイド３０７が切り替わっていること分かる。同様に、図５（ｂ）の表示状態でＳＥＴキー１２７が押下されると、図５（ａ）の表示状態となり、サブ枠３０８とフォーカスガイド３０７が切り替わる。
【００４６】
＜アシスト機能の処理＞
図６は、「フォーカスガイド」機能有効時に「撮像画像拡大表示」機能を有効にして、デジタルカメラ１０を操作した際の制御を示すフローチャートである。図６のフローチャートで示される処理は、ＣＰＵ１１９ａがＲＯＭ１１９ｂからプログラムを読み出してＲＡＭ１１９ｃに展開して実行することによって実現される。このフローチャートは、動作モードに撮影モード時において、「フォーカスガイド」機能有効時に「撮像画像拡大表示」機能が有効化されることで開始される。なお、フローチャートにおいては、「撮像画像拡大表示」をＭａｇｎという略称を使って示している。
【００４７】
Ｓ６０１において、ＣＰＵ１１９ａは現在のフォーカスガイド枠の位置からフォーカス測定領域を算出し、ＲＡＭ１１９ｃ上に格納する。Ｓ６０２において、ＣＰＵ１１９ａはフォーカスガイド枠の位置から拡大位置を確定する。ここで、ＣＰＵ１１９ａは、フォーカスガイド枠の位置が中央になるように拡大位置を確定する。Ｓ６０３において、ＣＰＵ１１９ａは、Ｓ６０２で確定した拡大位置を基準として撮像画像から拡大画像を生成し、表示部１０７に表示させる。この撮像画像の拡大処理は、画像処理部１１８もしくはＧＰＵ１１５によって行われる。
【００４８】
Ｓ６０４において、ＣＰＵ１１９ａはフォーカス測定領域のフォーカス状況を取得し（算出方法については図２の説明を参照）、フォーカスガイドを更新する。フォーカスガイドの更新とは、フォーカス状況に応じて図３で示したフォーカス指標のいずれかを選択して用いてフォーカスガイドを表示することを示す。なお、フォーカス指標３１１もしくはフォーカス指標３１２の場合は、状況によってフォーカスガイド枠３０５の上部に表示される三角指標（三角形の角度）が変わる。以上のように、Ｓ６０１〜Ｓ６０４の処理は、フォーカス測定領域を含む拡大範囲の拡大画像とフォーカス測定領域に対応するフォーカスガイドを表示部１０７に表示させる第１の表示処理である。
【００４９】
Ｓ６０５において、ＣＰＵ１１９ａはユーザ操作があったかどうかを判定する。ユーザ操作がないと判定された場合には、ＣＰＵ１１９ａは、処理をＳ６０４に戻し、撮影状況変化に合わせたフォーカスガイド枠の更新とユーザ操作の有無の判定を繰り返す。ユーザ操作があったと判定された場合には、Ｓ６０６において、ＣＰＵ１１９ａはＳ６０５にて受け付けたユーザ操作が「撮像画像拡大表示」の解除指示であるかどうかを判定する。ユーザ操作が「撮像画像拡大表示」の解除指示であると判定された場合、処理はＳ６１６へ進み、ユーザ操作が「撮像画像拡大表示」の解除指示ではないと判定された場合、処理はＳ６０７へ進む。
【００５０】
Ｓ６０７において、ＣＰＵ１１９ａはＳ６０５で受け付けたユーザ操作が、「撮像画像拡大表示」の拡大位置を移動する移動指示かどうかを判定する。「撮像画像拡大表示」の拡大位置の移動指示でないと判定された場合、ＣＰＵ１１９ａは処理をＳ６０４へ戻す。他方、Ｓ６０５で受け付けたユーザ操作が「撮像画像拡大表示」の拡大位置の移動指示であると判定された場合、処理はＳ６０８へ進む。Ｓ６０８において、ＣＰＵ１１９ａは拡大位置を変更し、拡大画像を更新する。すなわち、ＣＰＵ１１９ａは、Ｓ６０７で判定した操作に応じて拡大位置を算出し、算出した拡大位置に基づいて拡大範囲の画像を拡大して拡大画像を生成し、表示部１０７の表示を更新する。以上のように、Ｓ６０７の処理は、ユーザの移動指示に応じた移動後の拡大範囲の拡大画像を表示部１０７に表示させる第２の表示処理である。
【００５１】
続いて、Ｓ６０９において、ＣＰＵ１１９ａはフォーカス測定領域が画面上に表示されているか否かを判定する。フォーカス測定領域が画面上に表示されていると判定された場合、ＣＰＵ１１９ａは、処理をＳ６０４に戻し、上述の処理を繰り返す。第１実施形態においてフォーカス測定領域が画面上に表示されているかどうかは、フォーカスガイド枠が画面上に表示されるかどうかで判定する。そのため、図４（ｃ２）のようにフォーカスガイド枠の一部でも画面上に表示されていれば、フォーカス測定領域が画面上に表示されているとする。Ｓ６０９までの処理により、フォーカスガイド枠が画面上に表示されている間は、フォーカス測定領域は維持される。
【００５２】
一方、Ｓ６０９においてフォーカス測定領域が画面上に表示されていないと判定された場合、Ｓ６１０において、ＣＰＵ１１９ａは現在のフォーカス測定領域をサブ枠領域としてＲＡＭ１１９ｃに記憶する。そして、Ｓ６１１において、ＣＰＵ１１９ａは現在の拡大範囲の中央領域をフォーカス測定領域としてＲＡＭ１１９ｃに記憶し、さらに、設定したフォーカス測定領域のフォーカス状況を取得してフォーカスガイドを更新する。ここでのフォーカスガイドの更新処理は、Ｓ６０４と同じである。すなわち、新たなフォーカス測定領域の位置にフォーカスガイド枠３０５を表示し、その上に三角指標３０６を表示する。フォーカスガイド枠３０５と三角指標３０６の表示形態は、新たなフォーカス測定領域について測定されたフォーカス状況に基づく。
【００５３】
以上のように、Ｓ６０９の処理は、移動指示が所定の条件を満たすと、移動後の拡大範囲の所定の領域に新たにフォーカス測定領域を設定し、当該拡大範囲の拡大画像と新たなフォーカス測定領域に対応するフォーカスガイドを表示部１０７に表示させる第３の表示処理である。なお、所定の条件とは、フォーカス測定領域の全体が画面外へ出たということであり、所定の領域とは中央領域のことである。
【００５４】
Ｓ６１２において、ＣＰＵ１１９ａはユーザ操作があったかどうかを判定する。ユーザ操作がない場合にはＳ６１１、Ｓ６１２の処理を繰り返し行い、撮影状況変化に合わせたフォーカスガイド枠の更新を行う。Ｓ６１２においてユーザ操作があったと判定された場合には、処理はＳ６１３へ進む。Ｓ６１３において、ＣＰＵ１１９ａはＳ６１２にて受け付けたユーザ操作が「撮像画像拡大表示」の解除指示であるかどうかを判定する。「撮像画像拡大表示」の解除指示であると判定された場合、処理はＳ６１６へ進み、「撮像画像拡大表示」の解除指示ではない判定された場合、処理はＳ６１４へ進む。
【００５５】
Ｓ６１４において、ＣＰＵ１１９ａはＳ６１２で受け付けたユーザ操作が、「撮像画像拡大表示」の拡大位置の移動指示かどうかを判定する。「撮像画像拡大表示」の拡大位置の移動指示を受け付けたと判定された場合は、処理はＳ６１５へ進む。他方、「撮像画像拡大表示」の拡大位置の移動指示でないと判定された場合は、処理はＳ６１１へ戻り、上述した処理が繰り返される。Ｓ６１５において、ＣＰＵ１１９ａは拡大位置（拡大範囲）を移動し、移動後の拡大位置の拡大画像を生成し、表示部１０７に表示する。その後処理はＳ６１１に戻り、上述したＳ６１１以降の処理が繰り返される。
【００５６】
Ｓ６１６〜Ｓ６１７は、「撮像画像拡大表示」の解除処理である。Ｓ６１６において、ＣＰＵ１１９ａは撮像画像の拡大を解除する。拡大を解除することにより、表示部１０７には撮像画像全体が表示される。そして、Ｓ６１７において、ＣＰＵ１１９ａはフォーカスガイド枠とサブ枠の表示を更新し、「撮像画像拡大表示」の解除処理を完了する。具体的には、フォーカス測定領域のフォーカス状況を取得しフォーカスガイド枠を更新し、サブ枠領域のフォーカス状況を取得してサブ枠を更新する。例えば、図４（ｃ４）の状態で「撮像画像拡大表示」の解除処理が行われると、図５（ａ）のような表示となる。
【００５７】
なお、図６において、フォーカス測定領域やサブ枠領域をＲＡＭ１１９ｃに記憶するとしたが、電源オフ時にも記憶内容を維持するＲＯＭ１１９ｂに記憶するようにしてもよい。また、フォーカス測定領域やサブ枠の領域の縦横サイズは特に限定されるものではない。
【００５８】
図７は、「フォーカスガイド」機能の有効時において、サブ枠切り替えを実行した際の制御を示すフローチャートである。図７のフローチャートで示される処理は、ＣＰＵ１１９ａがＲＯＭ１１９ｂからプログラムを読み出してＲＡＭ１１９ｃに展開して実行することによって実現される。このフローチャートは、動作モードに撮影モード時において、「フォーカスガイド」機能が有効化されることで開始される。上述したように、ＳＥＴキー１２７がユーザによる切り替え指示を受け付ける切替部として機能する。なお、図３（ｂ）において、サブ枠のフォーカス指標３１４の表示はフォーカス状況を示さないものとしたが、サブ枠のフォーカス指標３１４においても、フォーカスガイド３０７のようにフォーカス状況に応じて表示形態を変化させてもよい。図７のフローチャートでは、サブ枠の表示形態がフォーカス状況に応じて更新される処理を含む場合が示されている。なお、この場合、図６のフローチャートにおいても、サブ枠が表示されていれば、フォーカスガイドと同じようにフォーカス状況を取得し更新処理を行うようにする。
【００５９】
Ｓ７０１において、ＣＰＵ１１９ａはフォーカス測定領域のフォーカス状況を取得し、フォーカスガイドの更新処理を行う。フォーカスガイドの更新処理は図６（Ｓ６０４）と同様である。次に、Ｓ７０２において、ＣＰＵ１１９ａはサブ枠領域のフォーカス状況を取得し、サブ枠の更新処理を行う。次に、Ｓ７０３において、ＣＰＵ１１９ａはＳＥＴキー１２７が押されたかどうかを判定する。ＳＥＴキー１２７が押されてないと判定された場合には、処理はＳ７０１に戻り、上述の処理が繰り返される。他方、Ｓ７０３においてＳＥＴキー１２７が押されたと判定された場合は、処理はＳ７０４へ進む。
【００６０】
Ｓ７０４において、ＣＰＵ１１９ａはフォーカス測定領域とサブ枠領域の位置を切り替える。次に、Ｓ７０５において、ＣＰＵ１１９ａはフォーカス測定領域のフォーカス状況を取得し、フォーカスガイド枠の更新処理を行う。そして、Ｓ７０６において、ＣＰＵ１１９ａはサブ枠領域のフォーカス状況を取得し、サブ枠の更新処理を行う。こうしてサブ枠切り替えの処理が終了する。
【００６１】
以上のように、第１実施形態によれば、「撮像画像拡大表示」を有効とした後の拡大位置の変更によってフォーカスガイド枠が表示されなくなった場合に、表示されている画面上の中央領域がフォーカス測定領域に設定される（図４（ｃ３）、（ｃ４））。そのため、次にフォーカス確認をしたい対象のフォーカス状況の確認をフォーカスガイド枠の位置を変更することなく実現できる。すなわち、拡大表示時に別のフォーカス状況を確認したい場合に、ユーザは、わざわざ拡大表示を解除してフォーカスガイド枠を移動させることなく、所望の位置におけるフォーカス状況を確認することができる。さらに、「撮像画像拡大表示」有効後に、フォーカスガイド枠の位置が変わったとしても、変更前のフォーカスガイド枠の位置がサブ枠として記憶される。そのため、ユーザは元のフォーカスガイド枠の位置へ簡単に戻すことが可能（図５）となり、元の位置にフォーカスガイド枠を戻したいユーザにとっても使い勝手のよい装置を提供することができる。
【００６２】
なお、図７により説明したフォーカスガイド枠とサブ枠の切り換え処理は、拡大表示中に行われてもよい。この場合、拡大表示中におけるフォーカスガイド枠とサブ枠の切り換えに応じて、拡大表示の対象となる拡大範囲も切換後のフォーカスガイド枠を中心とした範囲に切り替わるようにするとよい。これにより、フォーカスガイド枠の位置の被写体の拡大表示とサブ枠の位置の被写体の拡大表示を簡単に、且つ、迅速に切り替えることができる。例えば、図４（ｃ１）の表示状態と図４（ｃ４）の表示状態とがＳＥＴキー１２７の押下の度に切り替わる。なお、フォーカスガイド枠とサブ枠の両方が拡大表示範囲に収まっているか否かに応じて、拡大範囲の変更を実行するか否かを切り替えるようにしてもよい。すなわち、両者が拡大表示範囲に収まっている場合には、ＳＥＴキー１２７の押下に応じて枠の切り替えが生じても拡大範囲の変更は行われない。他方、少なくとも一方の枠が拡大表示範囲に収まっていない状態でＳＥＴキー１２７が押下された場合は、新たにフォーカスガイド枠になった枠の位置が中心になるように拡大範囲が変更される。
【００６３】
［第２実施形態］
第１実施形態では、フォーカスガイド枠が画面外（拡大範囲外）に出たら、拡大表示の中心領域にフォーカスガイド枠を表示するとした。しかしながら、これに限られるものではない。第２実施形態では、拡大範囲の移動操作が所定回数を超えた場合に、拡大表示の中心領域にフォーカスガイド枠を表示する。なお、＜ハードウェア構成＞は、第１の実施例と同様である。
【００６４】
図８は、第２実施形態における「撮像画像拡大表示」機能の操作時の表示部１０７に表示される画面の例を示す。図４（ｃ２）とは異なり、図８（ｂ）の状態で、フォーカスガイド枠８０１が拡大表示の中央に表示される。図８（ａ）の画面表示の拡大位置から図８（ｂ）の画面表示の拡大位置に移動した際、拡大範囲の移動操作が所定の操作量を超えたため、拡大表示の中心領域にフォーカスガイド枠８０１が表示されている。このとき、それまでフォーカスガイド枠が表示されていた位置にはサブ枠８０２が表示される。以降の画面表示（図８（ｃ）、図８（ｄ））では、以前のフォーカス測定領域（サブ枠８０２）が画面から消えており、表示内容は図４（ｃ３）、図４（ｃ４）と同様になっている。なお、操作量の計測対象となる移動操作は左右方向に限られるものではない。上下左右方向の移動操作の操作量の総和が所定の操作量を超えた場合にフォーカスガイド枠を拡大表示の中央に表示する。
【００６５】
図９は、第２実施形態における「フォーカスガイド」機能有効時に「撮像画像拡大表示」機能を有効にして、デジタルカメラ１０を操作した際の制御を示すフローチャートである。図９のフローチャートは、ＣＰＵ１１９ａがＲＯＭ１１９ｂからプログラムを読み出してＲＡＭ１１９ｃに展開して実行することによって実現される。このフローチャートは、動作モードが撮影モードのときに、「フォーカスガイド」機能有効時に「撮像画像拡大表示」機能が有効化されることで開始される。基本的には、図６の処理と同様であるが、Ｓ９０１とＳ９０２の処理が異なる。
【００６６】
Ｓ９０１において、ＣＰＵ１１９ａはＳ６０７で判定した拡大位置の移動指示の操作回数をＲＡＭ１１９ｃに記憶する。そして、Ｓ９０２において、ＣＰＵ１１９ａは操作回数が所定量を超えたかどうかを判定する。操作回数が所定回数を超えたと判定された場合には、処理はＳ６１０へ進み、操作回数が所定回数を超えていないと判定された場合には、処理はＳ６０４に戻る。
【００６７】
以上のように、第２実施形態では、拡大位置の移動操作が所定回数を超えたかどうかにより、フォーカスガイド枠の位置を拡大画像の中央に移動（新たなフォーカスガイドを拡大画像の中央に表示）するか否かを判定する。これは、ユーザが拡大移動操作を複数回入力していることから、フォーカスガイド枠が当たっていた位置とは別のフォーカス状況を確認していることを想定している。なお、第２実施形態において、拡大位置移動操作が所定回数を超えたかどうかで判定したが、所定回数でなくても「撮像画像拡大表示」機能有効後の位置からの移動量で判定してもよい。すなわち、移動指示に応じた拡大範囲の移動量が所定量を超えた場合に、フォーカスガイドを拡大画像の中央に移動（新たなフォーカスガイドを拡大画像の中央に表示）するようにしてもよい。さらに、第１及び第２実施形態（Ｓ６１１）において、拡大表示の中央領域をフォーカス測定領域とし、そこにフォーカスガイド枠を表示するとしたがこれに限られるものではない。例えば、ユーザ指定の任意の位置であってもよく、その場合、例えば、ユーザがあらかじめメニュー等でその位置を指定できるようにする。また、画面中央下部のように、画面中央以外の固定位置であってもよい。
【００６８】
なお、デジタルカメラ１０の本体マイコン１１９（ＣＰＵ１１９ａ）が行うものとして説明した上述の各種制御は、１つのハードウェアが行ってもよいし、複数のハードウェア（例えば、複数のプロセッサや回路）が処理を分担することで、装置全体の制御を行ってもよい。
【００６９】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７０】
また、上述した実施形態においては、本発明をデジタルカメラに適用した場合を例にして説明したが、これはこの例に限定されず、撮像手段と、撮像手段により撮像された画像をライブビュー表示する機能を有する機器であれば適用可能である。すなわち、本発明は、カメラを内蔵または接続するパーソナルコンピュータ、ＰＤＡ、携帯電話端末、携帯型の画像ビューワ、ゲーム機などに適用可能である。
【００７１】
また、撮像装置本体に限らず、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【００７２】
（他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７３】
１０：デジタルカメラ、１０２：撮像素子、１０７：表示部、１１８：画像処理部、１１９：本体マイコン、１１９ａ：ＣＰＵ、１１９ｂ：ＲＯＭ、１１９ｃ：ＲＡＭ、１０８：測距部
【図１】
2019105768.tif 000003
【図２】
2019105768.tif 000004
【図３】
2019105768.tif 000005
【図４】
2019105768.tif 000006
【図５】
2019105768.tif 000007
【図６】
2019105768.tif 000008
【図７】
2019105768.tif 000009
【図８】
2019105768.tif 000010
【図９】
2019105768.tif 000011